(57)【要約】取付け可能な部分（１８）と手で取外し可能な部分（１９）とを有するハウジング（１２）を含むパッケージアセンブリ（１０）。また、含まれるのは、対向する端部（２１、２２）間に延在する伸張剥離接着剤で画定された対向する主面を有する、ある長さの取付けストリップ材料（２０）である。ある長さの取付けストリップ材料は、ハウジングの取付け可能な部分の外面に沿って接着された第１の部分（２４）と、第１の部分の一端から延在する第２の部分（２６）と、を有し、ある長さの取付けストリップ材料のその第２の部分は、それと、平らな表面に沿ってハウジングを支持するようにある長さの取付けストリップ材料の第１の部分が接着されたその表面との間の接着を制限するように配置されている。ハウジングの手で取外し可能な部分（１９）は、ハウジングの取付け可能な部分（１８）から手で取外し可能であり、ある長さの取付けストリップ材料の第１の部分を、その第２の部分をその第１の部分から離れるように引張ることによって伸張し、それにより、ハウジングの取付け可能な部分とその表面との間から、取付けストリップ材料の第１の部分を取外すことができる。
2005518313.tif 000002
【特許請求の範囲】
【請求項１】
内面と外面とを有するハウジングを形成し、前記ハウジングを取付け可能な部分と手で取外し可能な部分とに手で分離する手段を含む壁と、
対向する端部と、前記対向する端部間に延在する伸張剥離接着剤で画定された対向する主面とを有し、平らな支持表面に接着して、前記支持表面に沿って前記ハウジングを支持することができる、前記ハウジングの前記取付け可能な部分の外面に沿って接着された第１の部分を有し、前記第１の部分の一端から延在する第２の部分をさらに含む、ある長さの取付けストリップ材料と、
前記ある長さの取付けストリップ材料の前記第１の部分を前記平らな支持表面に沿って接着するときに、前記ある長さの取付けストリップ材料の前記第２の部分と前記平らな支持表面との間の接着を制限する手段と、を含むパッケージアセンブリであって、
前記ハウジングの前記手で取外し可能な部分が、前記ハウジングの前記取付け可能な部分から手で取外し可能であり、前記第２の部分との係合によって、前記ある長さの取付けストリップ材料の前記第１の部分を手で伸張して、前記ハウジングの前記取付け可能な部分と前記平らな支持表面との間から、前記取付けストリップ材料の前記第１の部分を取外すことができる、パッケージアセンブリ。
【請求項２】
前記取付け可能な部分が、前記ある長さの取付けストリップ材料の前記第１の部分が接着された、前記ハウジングを形成する前記壁に含まれる第１の壁を含み、前記取付け可能な部分が、前記ハウジングを形成する前記壁に含まれる第２の壁の一部をさらに含み、前記ハウジングの前記手で取外し可能な部分が、前記第２の壁の一部であり、前記ある長さの取付けストリップ材料の前記第２の部分が、前記ハウジングの前記手で取外し可能な部分に接着され、前記第１および第２の壁が、互いに対してほぼ直角に配置されて、前記ある長さの取付けストリップ材料の前記第２の部分と前記平らな支持表面との間の接着を制限する手段の少なくとも一部を提供する、請求項１に記載のパッケージアセンブリ。
【請求項３】
前記第２の壁が、前記第２の壁の前記大きい部分と前記ハウジングの前記手で取外し可能な部分との間に弱いラインを有し、前記ハウジングを取付け可能な部分と手で取外し可能な部分とに手で分離する手段を提供する、請求項２に記載のパッケージアセンブリ。
【請求項４】
前記ある長さの取付けストリップ材料の前記第２の部分が、前記ハウジングの前記手で取外し可能な部分の外面に沿って接着されている、請求項２に記載のパッケージアセンブリ。
【請求項５】
前記ある長さの取付けストリップ材料の前記第２の部分が、前記ハウジングの前記手で取外し可能な部分の外面に沿って接着され、前記パッケージアセンブリが、前記ハウジングおよび前記ある長さの取付けストリップ材料の周りの可撓性材料の取外し可能な層をさらに含み、前記可撓性材料の取外し可能な層が、前記ハウジングの前記手で取外し可能な部分に対向して、前記ある長さの取付けストリップ材料の前記第２の部分に沿って前記主面に接着された分離可能な部分を含み、前記ある長さの取付けストリップ材料の前記第２の部分と前記平らな支持表面との間の接着を制限する手段の少なくとも一部を提供する、請求項１に記載のパッケージアセンブリ。
【請求項６】
前記ある長さの取付けストリップ材料の前記第２の部分が、前記ハウジングの前記手で取外し可能な部分の外面に沿って接着され、前記パッケージアセンブリが、前記ハウジングの前記手で取外し可能な部分に対向する、前記ある長さの取付けストリップ材料の前記第２の部分に沿って前記主面に接着された部分を含む可撓性材料層をさらに含み、前記ある長さの取付けストリップ材料の前記第２の部分と前記平らな支持表面との間の接着を制限する手段の少なくとも一部を提供する、請求項１に記載のパッケージアセンブリ。
【請求項７】
前記ある長さの取付けストリップ材料の前記第２の部分が、前記ハウジングの前記手で取外し可能な部分の内面に沿って接着されて、前記ある長さの取付けストリップ材料の前記第２の部分と前記平らな支持表面との間の接着を制限する手段の少なくとも一部を提供する、請求項１に記載のパッケージアセンブリ。
【請求項８】
前記ハウジングの前記取付け可能な部分が、前記ハウジングを形成する前記壁に含まれる第１の壁の第１の部分であり、前記第１の壁が、また、前記第１の壁の前記第１の部分と整列し、かつ、前記ハウジングの前記取外し可能な部分に含まれる第２の部分を含み、前記第１の壁の前記第２の部分が、前記第１の壁の弱いラインに沿って前記第１の壁の前記第１の部分に取付けられて、前記ハウジングを取付け可能な部分と手で取外し可能な部分とに手で分離する手段を提供し、前記手による分離後、前記ある長さの取付けストリップ材料の前記第２の部分との係合によって、前記ある長さの取付けストリップ材料の前記第１の部分を手で伸張して、前記ハウジングの前記取付け可能な部分と前記平らな支持表面との間から、前記取付けストリップ材料の前記第１の部分を取外す、請求項１に記載のパッケージアセンブリ。
【請求項９】
前記ある長さの取付けストリップ材料の前記第２の部分が、前記ハウジングの前記取外し可能な部分の内面に沿って配置されて、前記ある長さの取付けストリップ材料の前記第２の部分と前記平らな支持表面との間の接着を制限する手段を提供する、請求項８に記載のパッケージアセンブリ。
【請求項１０】
前記取付け可能な部分が、前記ハウジングを形成する前記壁に含まれる、対向する前面および後面を有する第１の壁を含み、前記ある長さの取付けストリップ材料の前記第１の部分が、前記第１の壁の後面に接着され、前記ハウジングの前記手で取外し可能な部分が、前記前面に沿って前記第１の壁の一部であり、前記ある長さの取付けストリップ材料の前記第２の部分が、前記第１の壁の端縁の周りを延在し、かつ、前記ハウジングの前記手で取外し可能な部分に接着され、それにより、前記ある長さの取付けストリップ材料の前記第２の部分と前記平らな支持表面との間の接着を制限する手段の少なくとも一部を提供する、請求項１に記載のパッケージアセンブリ。
【請求項１１】
前記ハウジングの前記取付け可能な部分が、前記ある長さの取付けストリップ材料の前記第１の部分が接着された第１の部分を含み、前記ハウジングの前記取付け可能な部分が、前記ある長さの取付けストリップ材料の前記第２の部分と同延の第２の部分をさらに含み、前記ある長さの取付けストリップ材料の前記第２の部分が、前記ハウジングの前記取付け可能な部分の前記第２の部分に接着され、前記ハウジングの前記取付け可能な部分の前記第２の部分が、前記ハウジングの前記取付け可能な部分の前記第１の部分から分離可能であり、前記ハウジングの前記取外し可能な部分を前記ハウジングの前記取付け可能な部分から取外すと、前記ある長さの取付けストリップ材料の前記第２の部分との係合によって、前記ある長さの取付けストリップ材料の前記第１の部分を手で伸張して、前記ハウジングの前記取付け可能な部分と前記平らな支持表面との間から、前記取付けストリップ材料の前記第１の部分を取外すことができる、請求項１に記載のパッケージアセンブリ。
【請求項１２】
前記取付け可能な部分が、前記ある長さの取付けストリップ材料の前記第１の部分が接着された、前記ハウジングを形成する前記壁に含まれる第１の壁の第１の部分であり、前記第１の壁の第２の部分が、前記ハウジングの前記取外し可能な部分に含まれ、前記ある長さの取付けストリップ材料の前記第２の部分が、前記ハウジングの前記手で取外し可能な部分に含まれる第２の壁に接着され、前記第１および第２の壁が、互いに対してほぼ直角に配置されて、前記ある長さの取付けストリップ材料の前記第２の部分と前記平らな支持表面との間の接着を制限する手段の少なくとも一部を提供する、請求項１に記載のパッケージアセンブリ。
【請求項１３】
複数のパッケージアセンブリを形成する方法であって、
伸張剥離接着剤で画定された対向する主面を有する取付けストリップ材料の細長い供給を提供する工程と、
壁を複数のハウジングに形成し、前記ハウジングの各々が、内面と外面とを有し、かつ、取付け可能な部分と手で取外し可能な部分とを含むようにする工程と、
所定の長さの前記取付けストリップ材料を、前記所定の長さの第１の部分を、前記所定の長さの第２の部分が前記第１の部分の一端から延在する状態で前記ハウジングの前記取付け可能な部分の外面に沿って接着することによって、前記ハウジングの各々に適用する工程と、
前記パッケージアセンブリの各々に、前記所定の長さの取付けストリップ材料の前記第１の部分を平らな支持表面に沿って接着するときに、前記所定の長さの取付けストリップ材料の前記第２の部分と前記平らな支持表面との間の接着を制限する手段を提供し、それにより、前記パッケージアセンブリの各々について、前記所定の長さの取付けストリップ材料の前記第１の部分を前記平らな支持表面に接着して、前記表面に沿って前記ハウジングを支持することができ、その後、前記ハウジングの前記取外し可能な部分を、ハウジングの前記取付け可能な部分から手で取外すことができ、前記第２の部分と手で係合することによって、前記所定の長さの取付けストリップ材料の前記第１の部分を伸張して、前記ハウジングの前記取付け可能な部分と前記平らな支持表面との間から、前記取付けストリップ材料の前記第１の部分を取外すことができる工程と、を含む方法。
【請求項１４】
前記形成工程において、前記ハウジングの各々を、前記ハウジングの前記取付け可能な部分と前記ハウジングの前記手で取外し可能な部分との間に弱いラインを有するように形成する、請求項１３に記載の方法。
【請求項１５】
前記適用工程において、前記所定の長さの取付けストリップ材料の前記第２の部分を、前記ハウジングの前記手で取外し可能な部分の内面に沿って接着して、前記所定の長さの取付けストリップ材料の前記第２の部分と平らな支持表面との間の接着を制限する手段を提供する、請求項１３に記載の方法。
【請求項１６】
前記形成工程において、前記ハウジングの前記取付け可能な部分が、前記ハウジングを形成した前記壁に含まれる第１の壁の第１の部分であり、前記第１の壁が、また、前記第１の壁の前記第１の部分と整列し、かつ、前記ハウジングの前記取外し可能な部分に含まれる第２の部分を含み、前記第１の壁の前記第２の部分が、前記第１の壁の弱いラインに沿って前記第１の壁の前記第１の部分に取付けられて、前記ハウジングの前記取外し可能な部分を前記ハウジングの前記取付け可能な部分から手で取外し、前記所定の長さの取付けストリップ材料の前記第２の部分を手で係合して、前記所定の長さの取付けストリップ材料の前記第１の部分を伸張し、それにより、前記表面から前記ハウジングの前記取付け可能な部分を取外すように、前記ハウジングの各々を形成する、請求項１３に記載の方法。
【請求項１７】
前記適用工程において、前記所定の長さの取付けストリップ材料の前記第２の部分を、前記ハウジングの前記手で取外し可能な部分の内面に沿って接着して、前記所定の長さの取付けストリップ材料の前記第２の部分と、前記所定の長さの取付けストリップ材料の前記第１の部分と整列した表面との間の接着を制限する手段を提供する、請求項１６に記載の方法。
【発明の詳細な説明】
【技術分野】
【０００１】
本発明は、パッケージアセンブリを表面に一時的に接着してもよい伸張剥離接着剤を含む取付けストリップを含むパッケージアセンブリに関する。
【背景技術】
【０００２】
「コマンド（Ｃｏｍｍａｎｄ）（商標）・アドヒーシブ（Ａｄｈｅｓｉｖｅ）」という商品名で、ミネソタ州セント・ポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ，Ｓｔ．Ｐａｕｌ，ＭＮ）から市販され、１９９４年９月２０日に出願された特許文献１（ブリーズ（Ｂｒｉｅｓ）ら）または対応する特許文献２に記載された取付けストリップなどの、伸張剥離接着剤を含む取付けストリップを含むパッケージアセンブリが知られている。そのような取付けストリップを使用して、パッケージアセンブリのうちの１つのハウジングを表面に接着することができ、次に、物品をパッケージアセンブリから取出すことができる。次に、その後、望ましいときに、取付けストリップを伸張して、ハウジングと表面との間から取外すことができる。一般に、その取付けストリップは、ポリマーフォーム（たとえば、ポリオレフィンフォーム）の中心層と、フォーム層の対向する主面に沿って結合された、伸張可能なポリマーフィルム（たとえば、ポリエチレンフィルムまたはポリプロピレンフィルム、直鎖状低密度および超直鎖状低密度ポリエチレンフィルムが好ましい）の２つの層と、を含む伸張可能な積層体を含む。取付けストリップは、また、その伸張可能な積層体の対向する面上に２つの伸張剥離接着剤層を含み、これらの層の両方とも、伸張可能な積層体の一端から隔置され、それにより、伸張可能な積層体の、２つの接着剤層を越えて延在する部分が、手で係合して取付けストリップを伸張することができるタブを形成する。伸張剥離接着剤層の一方を、パッケージアセンブリのハウジングに接着し、他方を、それを接着すべき表面（たとえば、壁の平らな垂直表面）に接着することができ、それにより、パッケージアセンブリを、取付けストリップによって、その表面に沿って支持することができる。次に、タブ部分を手で引張ることによって、その取付けストリップを順次伸張すると、伸張剥離接着剤層がハウジングおよび表面の両方から剥離し、それにより、パッケージアセンブリを表面から分離することができる。そのような取付けストリップは、表面に沿ってパッケージアセンブリを剥離可能に接着するのに非常に有用かつ効果的であるが、特定のタイプのパッケージアセンブリ、特に、食品雑貨店の島（ｉｓｌｅ）などで店頭で分配されるディスカウントクーポンを含むか、あるいは化粧紙またはクリーニングティッシュなどを含むパッケージアセンブリなどの、安価であり、および／または短い時間だけ使用してもよいパッケージアセンブリに使用するのに望まれるより高価である。取付けストリップの費用は、取付けストリップの、接着剤がコーティングされていないタブ部分を残すために取付けストリップの製造の間に必要な手順、およびそのような取付けストリップをハウジングに適用する態様（すなわち、典型的には手の）から、少なくとも部分的に、生じる。
【特許文献１】米国特許出願第０８／３０８，９３７号明細書
【特許文献２】国際公開第９５／０６６９１号パンフレット
【発明の開示】
【課題を解決するための手段】
【０００３】
本発明は、「コマンド（商標）・アドヒーシブ」という商品名で、ミネソタ州セント・ポールのミネソタ・マイニング・アンド・マニュファクチャリング・カンパニーから市販されている取付けストリップについて上述された取付け特性および剥離特性を有することができる伸張剥離接着剤を含む取付けストリップを含むパッケージアセンブリを提供するが、この取付けストリップは、上述された先行技術の取付けストリップより、製造し、パッケージアセンブリのハウジングに適用するのが、著しく安価である。
【０００４】
本発明は、また、複数のそのようなパッケージアセンブリを形成する方法であって、（１）伸張剥離接着剤で全体的に画定された対向する主面を有する取付けストリップ材料の細長い供給（すなわち、細長い供給長さの取付けストリップ材料は、ロールであることができる）を提供する工程と、（２）壁を複数のハウジングに形成し、ハウジングの各々が、取付け可能な部分と手で取外し可能な部分とを有するようにする（たとえば、ハウジングの各々に弱いライン（切込み線またはパーフォレーションの列）形成して、それらの部分を画定することによって）工程と、（４）所定の長さの取付けストリップ材料を、所定の長さの第１の部分を、所定の長さの第２の部分が第１の部分の一端から延在する状態でハウジングの取付け可能な部分の外面に沿って接着することによって、ハウジングの各々に適用する工程と、（５）パッケージアセンブリの各々に、所定の長さの取付けストリップ材料の第１の部分を平らな支持表面に沿って接着するときに、所定の長さの取付けストリップ材料の第２の部分と平らな支持表面との間の接着を制限する手段を提供する工程と、を含む方法を提供する。各ハウジング上の所定の長さの取付けストリップ材料の第１の部分を平らな支持表面（たとえば、典型的には垂直表面）に接着して、その表面に沿ってハウジングを支持することができる。その後、ハウジングをその表面から取外すことが望ましいとき、ハウジングの取外し可能な部分を、ハウジングの取付け可能な部分から手で分離することができ、第２の部分と手で係合することによって、所定の長さの取付けストリップ材料の第１の部分を手で伸張して、ハウジングの取付け可能な部分と平らな支持表面との間から、所定の長さの取付けストリップ材料の第１の部分を取外すことができる。
【０００５】
各ハウジングの取付け可能な部分は、ある長さの取付けストリップ材料の第１の部分が接着された第１の壁（ハウジングを形成する壁に含まれる）を含むことができ、ハウジングを形成する壁に含まれる第２の壁の一部をさらに含むことができ、ある長さの取付けストリップ材料の第２の部分は、ハウジングの手で取外し可能な部分に接着することができ、ハウジングの手で取外し可能な部分は、その第２の壁に、ハウジングの手で取外し可能な部分と取付け可能な部分との間に、弱いラインを設けることによって、第２の壁の一部から形成することができる。第１および第２の壁を、互いに対してある角度（たとえば、直角）で配置して、ある長さの取付けストリップ材料の第１の部分を平らな支持表面に沿って接着するときに、ある長さの取付けストリップ材料の第２の部分と平らな支持表面との間の接着を制限する手段の少なくとも一部を提供することができる。ある長さの取付けストリップ材料の第２の部分を、ハウジングの手で取外し可能な部分の内面または外面に沿って接着することができる。それをハウジングの手で取外し可能な部分の外面に沿って接着した場合、その接着剤表面は、露出したままであることができるか、または保護層によって被覆することができる。たとえば、薄い可撓性材料の保護層を、ハウジングおよび適用された長さの取付けストリップ材料の周りに適用することができ、その層の分離可能な部分を、ハウジングの手で取外し可能な部分に対向して、ある長さの取付けストリップ材料の第２の部分に、その表面上に接着することができる。分離可能な部分は、薄い可撓性材料の保護層の残りを取外した後、ある長さの取付けストリップ材料の第２の部分に接着されたままである。
【０００６】
代わりに、ハウジングの各々の取付け可能な部分は、ある長さの取付けストリップ材料の第１の部分が接着された、ハウジングを形成する壁に含まれる第１の壁の第１の部分であることができ、その第１の壁は、また、第１の部分と整列し、かつ、ハウジングの取外し可能な部分に含まれる第２の部分を含むことができ、壁のうち第１の壁の第１および第２の部分は、弱いラインに沿って接合されて、ハウジングの取外し可能な部分をその取付け可能な部分から手で取外した後、ある長さの取付けストリップ材料の第２の部分との係合によって、ある長さの取付けストリップ材料の第１の部分を手で伸張して、ハウジングの取付け可能な部分と平らな支持表面との間から、ある長さの取付けストリップ材料の第１の部分を取外して、その表面からハウジングの取付け可能な部分を取外すことができる。ある長さの取付けストリップ材料の第２の部分を、ハウジングの手で取外し可能な部分の内面に沿って、またはその外面に沿って接着することができ、その接着剤表面を保護層によって被覆して、ある長さの取付けストリップ材料の第１の部分を平らな支持表面に沿って接着するときに、ある長さの取付けストリップ材料の第２の部分と平らな支持表面との間の接着を制限する手段を提供することができる。たとえば、上述されたように、分離可能な部分を備えた、薄い可撓性材料の保護層を、ある長さの取付けストリップ材料の第２の部分に接着することができる。
【０００７】
さらなるオプションとして、ハウジングの各々の取付け可能な部分は、ある長さの取付けストリップ材料の第１の部分が接着された第１の部分を含むことができ、ハウジングのその取付け可能な部分は、ある長さの取付けストリップ材料の第２の部分が接着された、ある長さの取付けストリップ材料の第２の部分と同延の第２の部分をさらに含むことができ、ハウジングの取付け可能な部分のこの第２の部分は、その第１の部分から分離可能であり、ハウジングの取外し可能な部分をその取付け可能な部分から手で取外した後、ある長さの取付けストリップ材料の第１の部分を、その第２の部分との係合によって、手で伸張して、ハウジングの取付け可能な部分と平らな支持表面との間から、取付けストリップ材料の第１の部分を取外すことができる。
【０００８】
さらなるオプションとして、ハウジングの取付け可能な部分は、対向する前面および後面を有する第１の壁を含むことができ、ある長さの取付けストリップ材料の第１の部分は、第１の壁の後面に接着することができ、ハウジングの手で取外し可能な部分は、前面に沿って第１の壁の小さい部分であることができ、ある長さの取付けストリップ材料の第２の部分は、第１の壁の端縁の周りを延在し、前記ハウジングの手で取外し可能な部分に接着することができ、それにより、ある長さの取付けストリップ材料の第２の部分と、それが接着された平らな支持表面との間の接着を制限する手段の少なくとも一部を提供することができる。
【０００９】
また、任意に、取付け可能な部分は、ある長さの取付けストリップ材料の第１の部分が接着された、ハウジングを形成する壁に含まれる第１の壁の第１の部分であることができ、第１の壁の第２の部分は、ハウジングの取外し可能な部分に含むことができ、ある長さの取付けストリップ材料の第２の部分は、ハウジングの手で取外し可能な部分に含まれる第２の壁に接着することができ、第１および第２の壁は、互いに対してほぼ直角に配置されて、ある長さの取付けストリップ材料の第２の部分と、それが接着された平らな支持表面との間の接着を制限する手段の少なくとも一部を提供することができる。
【００１０】
本発明によるパッケージアセンブリに使用される取付けストリップは、その伸張可能な積層体の長さの対向する面上の２つの伸張剥離接着剤層が、長さの対向する端部間に全体的に延在し、取付けストリップが、手で係合可能なタブを形成する、接着剤で画定されていない表面を有する部分を含まない以外は、上述された米国特許出願第０８／３０８，９３７号明細書（ブリーズら）に記載された取付けストリップの構造を有する、ある長さの取付けストリップ材料であることができる。そのような取付けストリップ材料は、上述された先行技術の取付けストリップを製造するより少ないコストで、長い供給長さで製造することができ、というのは、伸張可能な積層体の、接着剤コーティングのない部分を残して、タブを設ける必要がないからである。
【００１１】
代わりに、使用される取付けストリップは、１つの伸張可能なポリマーフィルム層の対向する主面に沿って接着された大きい接着剤表面を画定する２つの接着剤層からなることができるか、または米国特許第５，４０９，１８９号明細書（ルーマン（Ｌｕｈｍａｎｎ））に記載された取付けストリップと同様であることができ、この取付けストリップは、２つの大きい接着剤表面を画定する１つの感圧接着剤層からなるが、その感圧接着剤層を伸張して、それが間に接着されている表面から剥離させることができるそのタブ部分に非粘着表面を与えるための、その端部部分を被覆するポリマーフィルムを有さない。
【００１２】
本発明を、いくつかの図において同じ部分が同じ参照符号で特定される添付の図面を参照して、さらに説明する。
【発明を実施するための最良の形態】
【００１３】
ここで、図面の図１および図２を参照すると、参照符号１０で一般に示された本発明によるパッケージアセンブリの第１の実施形態が示されている。一般に、パッケージアセンブリ１０は、米国特許第５，９７９，６９９号明細書に記載されたハウジングと同様のハウジング１２を形成する壁を含む。ハウジング１２は、外面１３と、空洞を画定する内面１４と、を有し、空洞内に、アイテム１７（たとえば、ディスカウントクーポンまたはシート）を保管してもよく、空洞から、それらのアイテム１７を、ハウジング１２の開口部１６を通して取出してもよい。ハウジング１２は、取付け可能な部分１８（ハウジング１２の大きい部分である）と、手で取外し可能な部分１９（ハウジング１２の小さい部分である）と、を含む。また、パッケージアセンブリ１０に含まれるのは、対向する端部２１および２２と、対向する端部２１および２２間に延在する伸張剥離接着剤で画定された対向する主面と、を有する、ある長さの取付けストリップ材料２０である。ある長さの取付けストリップ材料２０は、ハウジング１２の取付け可能な部分１８に含まれる第１の壁２５の外面１３に沿って接着された第１の大きい部分２４と、第１の部分２４の一端から延在する第２の小さい部分２６と、を有し、この第２の部分２６は、ハウジング１２の手で取外し可能な部分１９の内面に沿って配置され、手で取外し可能な部分１９の内面に接着されている。ハウジング１２の手で取外し可能な部分１９は、ハウジング１２を形成する壁に含まれる第２の壁２７の小さい部分であり、その第２の壁２７の大きい部分は、ハウジング１２の取付け可能な部分１８に含まれている。ハウジング１２の手で取外し可能な部分１９は、弱いライン２９（たとえば、切込み線またはパーフォレーションの列）によって、第２の壁２７のその大きい部分に取外し可能に取付けられている。第１の壁２５および第２の壁２７は、互いに対してある角度（すなわち、ほぼ直角）で配置されている。剥離ライナ２８が、ある長さの取付けストリップ材料２０の第１の部分２４の１つの主面に沿って延在し、この主面は、ハウジング１２の取付け可能な部分１８に接着された、第１の部分２４の主面に対向する。その剥離ライナ２８は取外し可能であり、ある長さの取付けストリップ材料２０の第１の部分２４を平らな支持表面（たとえば、壁または陳列棚の垂直表面）に接着して、その表面に沿ってハウジング１２を支持することができる。アイテム１７のすべてがハウジング１２から取出されたとき、または、そうでなければ、ハウジング１２を、それが接着されたそのような支持表面から取外すことが望ましいとき、手で取外し可能な部分１９の周りの弱いライン２９に沿って第２の壁２７を壊すことによって、ハウジング１２の手で取外し可能な部分１９を、ハウジング１２の取付け可能な部分１８から手で取外すことができる。そのような取外しにより、ある長さの取付けストリップ材料２０の第１の部分２４を手で伸張して、それを、ハウジング１２の取付け可能な部分１８と、それが接着されたその支持表面との間から取外し、これは、ハウジング１２の取外し可能な部分１９（およびそれによりハウジング１２の取外し可能な部分１９に接着された、ある長さの取付けストリップ材料２０の第２の部分２６）を、ある長さの取付けストリップ材料２０の第１の部分２４から離れるように引張って、支持表面およびハウジング１２の取付け可能な部分１８から第１の部分２４の接着を伸張し、それにより剥離することによる。
【００１４】
図２に見られるように、ある長さの取付けストリップ材料２０の第２の部分２６は、ハウジング１２の手で取外し可能な部分１９を含む第２の壁２７を形成する２つの材料層（たとえば、２つのチップボード層）間に配置かつ接着され、それにより、それらの材料層は、ハウジング１２内のアイテム１７による、またはハウジング１２の外面１３と接触する人による、ある長さの取付けストリップ材料２０の第２の部分２６との接触を防止する。また、ハウジング１２は、手で取外し可能な部分１９の端部と第１の壁２５との間のスリット２３を有し、これは、取外し可能な部分１９を第２の壁２７の残りから取外すのを容易にし、それにより、手で取外し可能な部分１９をある長さの取付けストリップ材料２０の第１の部分２４から離れるように引張ることができる。
【００１５】
ここで、図面の図３および図４を参照すると、参照符号３０で一般に示された本発明によるパッケージアセンブリの第２の実施形態が示されている。一般に、パッケージアセンブリ３０は、外面３３と、空洞を画定する内面３４と、を有するハウジング３２を形成する壁を含み、空洞内に、アイテム３７（たとえば、クリーニングティッシュ）を保管してもよく、空洞から、それらのアイテム３７を、ハウジング３２の開口部３６を通して取出してもよい。ハウジング３２は、取付け可能な部分３８（ハウジング３２の大きい部分である）と、手で取外し可能な部分３９（ハウジング３２の小さい部分である）と、を含む。また、パッケージアセンブリ３０に含まれるのは、対向する端部４１および４２と、対向する端部４１および４２間に延在する伸張剥離接着剤で画定された対向する主面と、を有する、ある長さの取付けストリップ材料４０である。ある長さの取付けストリップ材料４０は、ハウジング３２の取付け可能な部分３８に含まれる第１の壁４５上の外面３３に沿って接着された第１の大きい部分４４と、ハウジング３２の手で取外し可能な部分３９上の外面３３に沿って延在し、接着された第２の小さい部分４６と、を有する。ハウジング３２の手で取外し可能な部分３９は、ハウジング３２を形成する壁に含まれる第２の壁４７の小さい部分であり、その第２の壁４７の大きい部分は、ハウジング３２の取付け可能な部分３８に含まれている。ハウジング３２の手で取外し可能な部分３９は、弱いライン４９（たとえば、切込み線またはパーフォレーションの列）によって、第２の壁４７のその大きい部分に取付けられている。ハウジング３２は、取外し可能な部分３９を第２の壁４７の残りから取外すのを容易にするために、手で取外し可能な部分３９の端部と第１の壁４５との間にスリットを有することができる。第１の壁４５および第２の壁４７は、互いに対してある角度（すなわち、ほぼ直角）で配置され、これは、ある長さの取付けストリップ材料４０の第１の部分４４を平らな支持表面に沿って接着するときに、ある長さの取付けストリップ材料４０の第２の部分４６とその平らな支持表面との間の接着を制限する手段の少なくとも一部を提供する。剥離ライナ４８が、ある長さの取付けストリップ材料４０の第１の部分４４の１つの主面に沿って延在し、この主面は、ハウジング３２の取付け可能な部分３８に接着された、第１の部分４４の主面に対向する。その剥離ライナ４８は取外し可能であり、ある長さの取付けストリップ材料４０の第１の部分４４を支持表面（たとえば、壁またはキャビネットの平らな垂直表面）に接着して、その表面に沿ってハウジング３２を支持することができる。アイテム３７のすべてがハウジング３２から取出されたとき、または、そうでなければ、ハウジング３２を、それがある長さの取付けストリップ材料４０によって接着されている支持表面から取外すことが望ましいとき、手で取外し可能な部分３９の周りの弱いライン４９に沿って第２の壁４７を壊すことによって、ハウジング３２の手で取外し可能な部分３９を、ハウジング３２の取付け可能な部分３８から手で取外すことができる。そのような取外しにより、ある長さの取付けストリップ材料４０の第１の部分４４を手で伸張して、それを、ハウジング３２の取付け可能な部分３８と、それが接着されたその支持表面との間から取外し、これは、ハウジング３２の取外し可能な部分３９およびそれに接着された第２の部分４６を、ある長さの取付けストリップ材料４０の第１の部分４４から離れるように引張って、支持表面およびハウジングの取付け可能な部分３８からその第１の部分４４の接着を伸張し、それにより剥離することによる。
【００１６】
図４に見られるように、ハウジング３２は、段ボール紙であることができ、ハウジング３２の手で取外し可能な部分３９は、その第２の壁４７の外層の大きい部分に、ある長さの取付けストリップ材料４０の第２の部分４６の周りの弱いライン４９に沿って取付けられた、そのボール紙の外層の部分のみであることができる。弱いライン４９内のボール紙の外層のその部分は、ボール紙の残り（それの下にあるボール紙の部分を含む）から、ある長さの取付けストリップ材料４０の第２の部分４６とともに剥離することができ、ある長さの取付けストリップ材料４０の第２の部分４６を手で係合し、それにより、ある長さの取付けストリップ材料４０の第１の部分４４を伸張して、ハウジング３２の取付け可能な部分４０を、それが接着されたその表面から取外すことができる。代わりに、ハウジング３２は、その厚さを部分的に通って、エンボス加工されるか、カットされるか、または穴があけられて、ある長さの取付けストリップ材料４０の第２の部分４６の周りの弱いライン４９を形成するチップボードからなり、ハウジング３２の手で取外し可能な部分３９が、弱いライン４９内のそのチップボードの外側のクレーコーティング層の部分のみであることができる。弱いライン４９内のチップボードのその外層は、ハウジングの１つまたは複数の下にある繊維性層から、ある長さの取付けストリップ材料４０の第２の部分４６とともに剥離することができ、ある長さの取付けストリップ材料４０の第２の部分４６を手で係合し、それにより、ある長さの取付けストリップ材料４０の第１の部分４４を伸張して、ハウジング３２の取付け可能な部分４０を、それが接着されたその表面から取外すことができる。
【００１７】
図３および図４に示されているように、ある長さの取付けストリップ材料４０の第２の部分４６の外側の接着剤表面を露出させることができる。代わりに、材料層を第２の部分４６の外側の接着剤表面に接着することができるか、または図５に示されているように、パッケージアセンブリ３０は、ハウジング３２およびある長さの取付けストリップ材料４０の周りの可撓性ポリマー材料（たとえば、ＰＶＣ、ポリエチレン、またはセロハン）の取外し可能な保護層５０をさらに含むことができる。その可撓性材料の取外し可能な保護層５０は、ハウジング３２の手で取外し可能な部分３９に対向して、ある長さの取付けストリップ材料４０の第２の部分４６の表面に沿って接着された分離可能な部分５２を含むことができる。
【００１８】
ここで、図面の図６、図７、および図８を参照すると、参照符号６０で一般に示された本発明によるパッケージアセンブリの第３の実施形態が示されている。一般に、パッケージアセンブリ６０は、外面６３と、空洞を画定する内面６４と、を有するハウジング６２を形成する壁を含み、空洞内に、アイテム６７（たとえば、化粧紙）を保管してもよく、空洞から、それらのアイテム６７を、ハウジング６２の開口部６６を通して取出してもよい。ハウジング６２は、ハウジング６２の小さい部分、およびハウジング６２を形成する壁に含まれる第１の壁７５の第１の部分である取付け可能な部分６８を含む。ハウジングは、また、ハウジング６２の大きい部分であり、かつ、第１の壁７５以外の、ハウジング６２を形成する壁すべてとともに、第１の壁７５の、ハウジング６２の取付け可能な部分６８を形成する部分と整列した、第１の壁７５の第２の部分を含む、手で取外し可能な部分６９を含む。第１の壁７５のその第２の部分は、第１の壁７５の弱いライン７９（たとえば、切込み線またはパーフォレーションの列）に沿って、ハウジングの取付け可能な部分６８に取付けられ、その弱いライン７９に沿って第１の壁７５を壊すことによって、ハウジング６２の取外し可能な部分６９を、ハウジング６２の取付け可能な部分６８から手で取外す。また、パッケージアセンブリ６０に含まれるのは、対向する端部７１および７２と、対向する端部７１および７２間に延在する伸張剥離接着剤で画定された対向する主面と、を有する、ある長さの取付けストリップ材料７０である。ある長さの取付けストリップ材料７０は、第１の壁７５のスロット７３を通って延在する、ハウジング６２の取付け可能な部分６８の外面６３に沿って接着された第１の大きい部分７４を有し、かつ、ハウジング６２の手で取外し可能な部分６９の内面に沿って延在し、手で取外し可能な部分６９の内面に接着された第２の小さい部分７６を有し、ある長さの取付けストリップ材料７０の第１の部分７４を平らな支持表面に沿って接着するときに、ある長さの取付けストリップ材料７０の第２の部分７６とその平らな支持表面との間の接着を制限する手段を提供する。剥離ライナ７８が、ある長さの取付けストリップ材料７０の第１の部分７４の１つの主面に沿って延在し、この主面は、ハウジング６２の取付け可能な部分６８に接着された、第１の部分７４の主面に対向する。その剥離ライナ７８は取外し可能であり、ある長さの取付けストリップ材料７０の第１の部分７４を表面（たとえば、図８に示された表面７７などの、壁またはキャビネットの平らな垂直表面）に接着して、その表面に沿ってハウジング６２を支持することができる。アイテム６７のすべてがハウジング６２から取出されたとき、または、そうでなければ、ハウジング６２を、それがある長さの取付けストリップ材料７０によって接着されている支持表面７７などの支持表面から取外すことが望ましいとき、取付け可能な部分６８の周りの弱いライン７９ａに沿って、およびある長さの取付けストリップ材料７０の第２の部分７６の両側で取付け可能な部分６８から第１の壁７５の端縁まで延在する弱いライン７９ｂに沿って、第１の壁７５を壊すことによって、ハウジング６２の手で取外し可能な部分６９を、ハウジング６２の取付け可能な部分６８から手で取外すことができる。これにより、図８に示されているように、ハウジング６２の手で取外し可能な部分６９の大きい部分を支持表面７７から離れるように移動させ、ハウジング６２の手で取外し可能な部分６９の、ある長さの取付けストリップ材料７０の第２の部分７６が接着された部分と手で係合して、第２の部分７６を第１の部分７４から離れるように引張ることができ、それにより、支持表面７７および取付け可能な部分６８からその第１の部分７４の接着を伸張し、剥離することができ、取付け可能な部分６８を支持表面７７から取外すことができる。
【００１９】
図７に見られるように、ある長さの取付けストリップ材料７０の第２の部分７６は、第１の壁７５の、ハウジング６２の手で取外し可能な部分６９に含まれる部分を形成する２つの材料層（たとえば、２つのチップボード層）間に配置され、それにより、それらの材料層は、ハウジング６２内のアイテム６７による、またはハウジング６２の外面６３と接触する人による、ある長さの取付けストリップ材料７０の第２の部分７６との接触を防止する。
【００２０】
代わりに、ある長さの取付けストリップ材料７０の第２の部分７６を、第１の壁７５の、ハウジング６２の手で取外し可能な部分６９に含まれる部分の外面に接着することができ、かつ、材料層を第２の部分７６のその外側の接着剤表面に接着することができるか、図５に示され、パッケージアセンブリ３０について上述されたように、パッケージアセンブリ６０は、ハウジング６２およびある長さの取付けストリップ材料７０の周りの可撓性材料（たとえば、ＰＶＣ、ポリエチレン、またはセロハン）の取外し可能な保護層（図示せず）をさらに含むことができ、この可撓性材料の取外し可能な層は、ハウジング６２の手で取外し可能な部分６９に対向して、ある長さの取付けストリップ材料７０の第２の部分７６の表面に沿って接着された分離可能な部分を含むことができる。
【００２１】
ここで、図面の図９および図１０を参照すると、参照符号８０で一般に示された本発明によるパッケージアセンブリの第４の実施形態が示されている。一般に、パッケージアセンブリ８０は、１つの端縁９３に沿って接合されて、外面８３と、空洞を画定する内面８４と、を有するハウジング８２を形成する第１の壁または前壁９５および第２の壁または後壁９７を含む。積重ねられたアイテムまたは紙のシート８６の端部部分が、接着剤および／またはステープル８７などによってその空洞内に配置かつ保持され、それにより、それらの紙のシート８６の、ハウジング８２から突出する部分を、積重ねから取出すことができる（たとえば、カレンダー、または商品名「ポストイット（Ｐｏｓｔ−ｉｔ）（商標）イーゼル・パッド（ＥＡＳＥＬ  ＰＡＤ）＃５５６で、ミネソタ州セント・ポールのミネソタ・マイニング・アンド・マニュファクチャリング・カンパニーから市販されている大きい「ポストイット」（Ｐｏｓｔ  ｉｔ）ブランドノートパッド）。ハウジング８２は、取付け可能な部分８８（ハウジング８２の大きい部分である）と、２つの手で取外し可能な部分８９（ハウジング８２の小さい部分である）と、を含む。また、パッケージアセンブリ８０に含まれるのは、対向する端部９１および９２と、対向する端部９１および９２間に延在する伸張剥離接着剤で画定された対向する主面と、を各々有する、２つのある長さの取付けストリップ材料９０である。ある長さの取付けストリップ材料９０の各々は、後壁または第２の壁９７の、ハウジング８２の取付け可能な部分８８に含まれる部分の外面８３に沿って接着された第１の大きい部分９４と、ハウジング８２の手で取外し可能な部分８９の一方の内面に沿って延在し、それらの内面に接着された第２の小さい部分９６と、を有する。それらの内面へのその接着は、ある長さの取付けストリップ材料９０の第１の部分９４を平らな支持表面に沿って接着するときに、ある長さの取付けストリップ材料９０の第２の部分９６とその平らな支持表面との間の接着を制限する手段の少なくとも一部を提供する。ハウジング８２の各々の手で取外し可能な部分８９は、小さい部分９６の一方の対向する表面に接着された第１の壁９５および第２の壁９７を含む。ハウジング８２の手で取外し可能な部分８９は、弱いライン９９（たとえば、切込み線またはパーフォレーションの列）によって、ハウジング８２の大きい部分に取外し可能に取付けられている。Ｌ字形スロット８５を第２の壁または後壁９７に形成することができ、それにより、パッケージアセンブリ８０の製造の間、第２の壁または後壁９７の、ハウジング８２の手で取外し可能な部分８９に含まれる部分を、その後壁９５の面から持上げて、ある長さの取付けストリップ材料９０をハウジング８２に適用するのを容易にすることができ、その後、後壁９５のそれらの部分を、ある長さの取付けストリップ材料９０の小さい部分９６に押しつけ、接着することができる。剥離ライナ９８が、ハウジング８２の取付け可能な部分８８に接着された、ある長さの取付けストリップ材料９０の各々の第１の部分９４の主面に対向する、その第１の部分９４の主面に沿って延在する。その剥離ライナ９８は取外し可能��あり、ある長さの取付けストリップ材料９０の第１の部分９４を表面（たとえば、壁またはキャビネットの垂直表面）に接着して、その表面に沿ってハウジング８２を支持することができる。シート８６の大きい部分のすべてが、シート８６の、ハウジング８２内に保持された部分から取出されたとき、または、そうでなければ、ハウジング８２を、それがある長さの取付けストリップ材料８０によって接着されている支持表面から取外すことが望ましいとき、手で取外し可能な部分８９の周りの弱いライン９９に沿って、第１の壁９５および第２の壁９７を壊すことによって、ハウジング８２の手で取外し可能な部分８９を、ハウジング８２の取付け可能な部分８８から手で取外すことができる。次に、ある長さの取付けストリップ材料７０の第２の部分７６が接着された、ハウジング８２の手で取外し可能な部分８９を、第１の部分７４から離れるように引張ることができ、それにより、支持表面および取付け可能な部分８８からそれらの第１の部分７４の接着を伸張し、剥離することができ、取付け可能な部分８８を支持表面から取外すことができる。
【００２２】
ここで、図面の図１１および図１２を参照すると、参照符号１００で一般に示された本発明によるパッケージアセンブリの第５の実施形態が示されている。一般に、パッケージアセンブリ１００は、外面１０３と、空洞を画定する内面１０４と、を有するハウジング１０２を形成する壁を含み、空洞内に、アイテム１０７（たとえば、化粧紙）を保管してもよく、空洞から、それらのアイテム１０７を、ハウジング１０２の開口部１０６を通して取出してもよい。ハウジング１０２は、ハウジング１０２の小さい部分であり、示されているように、ハウジング１０２を形成する壁に含まれる第１の壁１１５の第１の部分である取付け可能な部分１０８を含む（代わりに、取付け可能な部分１０８は、第１の壁１１５全体であることができる）。ハウジング１０２は、また、ハウジング１０２の大きい部分であり、かつ、第１の壁１１５以外の、ハウジング１０２を形成する壁すべてとともに、第１の壁１１５の、ハウジング１０２の取付け可能な部分１０８を形成する部分と整列した、第１の壁１１５の第２の部分を含む、手で取外し可能な部分１０９を含む。第１の壁１１５のその第２の部分は、第１の壁１１５の弱いライン１１９（たとえば、切込み線またはパーフォレーションの列）に沿って、ハウジング１０２の取付け可能な部分１０８に取付けられ、その弱いライン１１９に沿って第１の壁１１５を壊すことによって、ハウジング１０２の取外し可能な部分１０９を、ハウジング１０２の取付け可能な部分１０８から手で取外す。ハウジング１０２の取付け可能な部分１０８は、中心スロット１１８を含む弱いライン１１３によって、第１の大きい部分１０８ａと第２の小さい部分１０８ｂとに分けられる。また、パッケージアセンブリ１００に含まれるのは、対向する端部１１１および１１２と、対向する端部１１１および１１２間に延在する伸張剥離接着剤で画定された対向する主面と、を有する、ある長さの取付けストリップ材料１１０である。ある長さの取付けストリップ材料１１０は、ハウジング１０２の取付け可能な部分１０８の第１の部分１０８ａの外面１０３に沿って接着された第１の大きい部分１１４を含み、弱いライン１１３のスロット１１８を通って延在し、かつ、ハウジング１０２の取付け可能な部分１０８の第２の部分１０８ｂの内面に沿って延在し、第２の部分１０８ｂの内面に接着された第２の小さい部分１１６を含み、ある長さの取付けストリップ材料１１０の第１の部分１１４を平らな支持表面に沿って接着するときに、ある長さの取付けストリップ材料１１０の第２の部分１１６とその平らな支持表面との間の接着を制限する手段を提供する。剥離ライナ（図示せず）が、ハウジング１０２の取付け可能な部分１０８に接着された、ある長さの取付けストリップ材料１１０の第１の部分１１４の主面に対向する、第１の部分１１４の主面に沿って延在することができる。その剥離ライナは取外し可能であり、ある長さの取付けストリップ材料１１０の第１の部分１１４を表面（たとえば、壁またはキャビネットの平らな垂直表面）に接着して、その表面に沿ってハウジング１０２を支持することができる。アイテム１０７のすべてがハウジング１０２から取出されたとき、または、そうでなければ、ハウジング１０２を、それがある長さの取付けストリップ材料１１０によって接着されている支持表面１０５などの支持表面から取外すことが望ましいとき、ハウジング１０２の手で取外し可能な部分１０９を、ハウジング１０２の取付け可能な部分１０８から手で取外すかまたは離れるように引張って、取付け可能な部分１０８の周りの弱いライン１１９に沿って、第１の壁１１５を壊すことができる。これにより、ある長さの取付けストリップ材料１１０の第２の部分１１６が接着された、ハウジング１０２の取付け可能な部分１０８の部分１０８ｂと手で係合して、その第２の部分１０８ｂを第１の部分１０８ａから離れるように引張ることができ、それにより、支持表面１０５と取付け可能な部分１０８の第２の部分１０８ｂとの間から、ある長さの取付けストリップ材料１１０の第１の部分１１４の接着を伸張し、剥離し、取付け可能な部分１０８を支持表面１０５から取外すことができる。
【００２３】
ある長さの取付けストリップ材料１１０の第２の部分１１６は、示されているように、ハウジング１０２の取付け可能な部分１０８の第２の部分１０８ｂの内面に沿って配置することができるか、または代わりに、ハウジング１０２の取付け可能な部分１０８の第２の部分１０８ｂを形成する２つの材料層（たとえば、２つのチップボード層）間に配置することができ、それにより、それらの材料層は、ハウジング１０２内のアイテム１０７による、またはハウジング１０２の外面１０３と接触する人による、ある長さの取付けストリップ材料１１０の第２の部分１１６との接触を防止することができる。
【００２４】
また、代わりに、ある長さの取付けストリップ材料１１０の第２の部分１１６を、ハウジング１０２の取付け可能な部分１０８の第２の部分１０８ｂの外面に接着することができ、かつ、材料層を第２の部分１１６のその外側の接着剤表面に接着することができるか、または図５に示され、パッケージアセンブリ３０について上述されたように、パッケージアセンブリ１００は、ハウジング１０２およびある長さの取付けストリップ材料１１０の周りの可撓性材料（たとえば、ＰＶＣ、ポリエチレン、またはセロハン）の取外し可能な保護層（図示せず）をさらに含むことができ、この可撓性材料の取外し可能な層は、ハウジング１０２の取付け可能な部分１０８の第２の部分１０８ｂに対向して、ある長さの取付けストリップ材料１１０の第２の部分１１６の表面に沿って接着された分離可能な部分を含むことができる。
【００２５】
ここで、図面の図１３、図１４、および図１５を参照すると、参照符号１２０で一般に示された本発明によるパッケージアセンブリの第６の実施形態が示されている。一般に、パッケージアセンブリ１２０は、外面１２３と、空洞を画定する内面１２４と、を有するハウジング１２２を形成する壁を含み、空洞内に、アイテム１２７（たとえば、ティッシュ）を保管してもよく、空洞から、それらのアイテム１２７を、ハウジング１２２の開口部１２６を通して取出してもよい。ハウジング１２２は、取付け可能な部分１２８（ハウジング１２２の第１の壁１３５の小さい部分である）と、手で取外し可能な部分１２９（ハウジング１２２を形成する他の壁とともに第１の壁１３５の大きい部分である）と、を含む。また、パッケージアセンブリ１２０に含まれるのは、対向する端部１３１および１３２と、対向する端部１３１および１３２間に延在する伸張剥離接着剤で画定された対向する主面と、を有する、ある長さの取付けストリップ材料１３０である。ある長さの取付けストリップ材料１３０は、ハウジング１２２の取付け可能な部分１２８の外面に沿って接着された第１の大きい部分１３４を有し、ハウジング１２２のスロット１２１を通って延在し、ハウジング１２２の手で取外し可能な部分１２９に含まれる第２の壁１３７上の内面に沿って接着された第２の小さい部分１３６を有する。ハウジング１２２の取付け可能な部分１２８は、弱いライン１３９（たとえば、切込み線またはパーフォレーションの列）によって、ハウジング１２２の手で取外し可能な部分１２９に含まれる第１の壁１３５のその大きい部分に取付けられている。ある長さの取付けストリップ材料１３０の第２の小さい部分１３６が、第２の壁１３７の内面に沿って取付けられること、および／または、第１の壁１３５および第２の壁１３７が、互いに対してある角度（すなわち、ほぼ直角）で配置されることにより、ある長さの取付けストリップ材料１３０の第１の部分１３４を平らな支持表面に沿って接着するときに、ある長さの取付けストリップ材料１３０の第２の部分１３６とその平らな支持表面との間の接着を制限する手段を提供する。剥離ライナ１３８が、ハウジング１２２の取付け可能な部分１２８に接着された、ある長さの取付けストリップ材料１３０の第１の部分１３４の主面に対向する、その主面に沿って延在する。その剥離ライナ１３８は取外し可能であり、ある長さの取付けストリップ材料１３０の第１の部分１３４を支持表面（たとえば、壁またはキャビネットの平らな垂直表面）に接着して、その表面に沿ってハウジング１２２を支持することができる。アイテム１２７のすべてがハウジング１２２から取出されたとき、または、そうでなければ、ハウジング１２２を、それがある長さの取付けストリップ材料１３０によって接着されている支持表面から取外すことが望ましいとき、ハウジング１２２の取外し可能な部分１２９を第１の壁１３５と第２の壁１３７との交差を中心に回転させ（図１５と同様に、パッケージアセンブリ１２０を、パッケージアセンブリが見えるガラスシートに接着されたかのように示す図１４に示されているように）、それにより、手で取外し可能な部分１２９の周りの弱いライン１３９に沿って第２の壁１３７を壊すことによって、ハウジング１２２の手で取外し可能な部分１２９を、ハウジング１２２の取付け可能な部分１２８から、手で取外すか、または分離することができる。次に、図１５に示されているように、ある長さの取付けストリップ材料１３０の第２の部分１３６が接着された、ハウジング１２２の取外し可能な部分１２９を、ハウジング１２２の取付け可能な部分１２８から離れるように手で持上げて、ある長さの取付けストリップ材料１３０の第１の部分１３４を伸張し、それにより、ハウジング１２２の取付け可能な部分１２８とそれが接着された支持表面との間から、ある長さの取付けストリップ材料１３０の第１の部分１３４の接着を剥離することができる。ある長さの取付けストリップ材料１３０の第２の部分１３６を、ハウジング１２２の取外し可能な部分１４９とともに引張る間に伸張して、その第１の部分１３４を伸張し、剥離することは、使用者が第２の部分１３６および取外し可能な部分１２９をともにつまむことによって、制限することができる。代わりに、第２の部分１３６を第１の部分１３４より広くする、または、第２の部分１３６とハウジング１２２との間に適切な接着剤の層を設けるか、またはハウジング１２２の、第２の部分１３６が接着された部分に、特殊な表面テクスチャーを与えることによって、第２の部分１３６を第１の部分１３４よりしっかりとハウジング１４２に接着させるなどの手段によって、ある長さの取付けストリップ材料１３０の第２の部分１３６を、第１の部分１３４をそのように伸張する間に、ハウジング１２２に接着したままにすることができる。ハウジング１２２の取外し可能な部分１２９をハウジング１２２の取付け可能な部分１２８から離れるように引張るとき、第１の部分１３４を基材およびハウジング１２２の取付け可能な部分１２８から完全に伸張し、剥離する前に、ある長さの取付けストリップ材料１３０の第２の部分１３６をハウジング１２２から伸張し、剥離すると、その伸張された第２の部分１３６を手でつかみ、引張り、第１の部分１２４の伸張および剥離を完了して、取付け可能な部分１２８を基材から取外すことができる。
【００２６】
ある長さの取付けストリップ材料１３０の第２の部分１３６は、第２の壁１３７の内面に沿って配置することができるか、または第２の壁１３７を形成する２つの材料層（たとえば、２つのチップボード層）間に配置することができ、それにより、それらの材料層は、ハウジング１２２内のアイテム１２７による、またはハウジング１２２の外面１２３と接触する人による、ある長さの取付けストリップ材料１３０の第２の部分１３６との接触を防止することができる。また、代わりに、ある長さの取付けストリップ材料１３０の第２の部分１３６を壁１３７の外面に接着することができ、かつ、材料層を第２の部分１３６のその外側の接着剤表面に接着することができるか、または図５に示され、パッケージアセンブリ３０について上述されたように、パッケージアセンブリ１２０は、ハウジング１２２およびある長さの取付けストリップ材料１３０の周りの可撓性材料（たとえば、ＰＶＣ、ポリエチレン、またはセロハン）の取外し可能な保護層（図示せず）をさらに含むことができ、この可撓性材料の取外し可能な層は、第２の壁１３７に対向して、ある長さの取付けストリップ材料１３０の第２の部分１３６の表面に沿って接着された分離可能な部分を含むことができる。
【００２７】
ここで、図面の図１６、図１７、および図１８を参照すると、参照符号１４０で一般に示された本発明によるパッケージアセンブリの第７の実施形態が示されている。一般に、パッケージアセンブリ１４０は、外面１４３と、アイテムを保管してもよい空洞を画定する内面１４４と、を有するハウジング１４２を形成する壁を含む。壁はすべて、貼合せ板紙であることができるか、または代わりに、ハウジングを形成する壁のいくつかが、透明なポリマー材料であり、販売製品を保持し、典型的には市販の陳列ラックから吊るされた「ブリスターパック」と呼ばれることがあるタイプのハウジングを形成してもよい。ハウジング１４２は、取付け可能な部分１４８（ハウジング１４２の大きい部分である）と、手で取外し可能な部分１４９（ハウジング１４２の小さい部分である）と、を含む。また、パッケージアセンブリ１４０に含まれるのは、対向する端部１５１および１５２と、対向する端部１５１および１５２間に延在する伸張剥離接着剤で画定された対向する主面と、を有する、ある長さの取付けストリップ材料１５０である。ある長さの取付けストリップ材料１５０は、ハウジングに含まれる第１の壁１５５上の外面１４３の第１の部分または後部分１４３ａに沿って接着された第１の大きい部分１５４を有し、かつ、第１の部分１５４の一端から延在する第２の小さい部分１５６を有する。第２の部分１５６は、その第１の壁１５５の端縁１５７の周りを延在し、かつ、表面１４３の後部分１４３ａに対向する、第１の壁１５５上の表面１４３の第２のまたは前の外側部分１４３ｂに沿って延在し、第２のまたは前の外側部分１４３ｂに接着される。ハウジング１４２の手で取外し可能な部分１４９は、ハウジング１４２の第１の壁１５５の外層の小さい部分であり、その第１の壁１５５の大きい部分は、ハウジング１４２の取付け可能な部分１４８に含まれている。第１の壁１５５は、１つの貼合せ板紙層から形成することができるか、あるいは端縁１５７に沿って接合されるかまたは折りたたまれた２つの貼合せ板紙層によって形成することができる。ハウジング１４２の手で取外し可能な部分１４９は、弱いライン１５９（たとえば、切込み線またはパーフォレーションの列）によって、第１の壁１５５のその大きい部分から部分的に分離することができ、必要であれば、カットまたはスロットを、端縁１５７でハウジングの手で取外し可能な部分の端部を横切って設けることができる。端縁１５７および第１の壁１５５上の外面１４３の第２の部分または前部分１４３ｂは、第１の壁１５５上の表面１４３の後部分１４３ａに対して、ある角度（すなわち、それぞれ、約９０度および１８０度の角度）で配置され、これは、ある長さの取付けストリップ材料１５０の第１の部分１５４を平らな支持表面に沿って接着するときに、ある長さの取付けストリップ材料１５０の第２の部分１５６とその平らな支持表面との間の接着を制限する手段を提供する。剥離ライナ１４７が、ある長さの取付けストリップ材料１５０の第１の部分１５４の１つの主面に沿って延在し、この主面は、ハウジング１４２の取付け可能な部分１４８に接着された、第１の部分１５４の主面に対向する。その剥離ライナ１４７は取外し可能であり、ある長さの取付けストリップ材料１５０の第１の部分１５４を平らな支持表面（たとえば、壁または陳列棚の垂直表面）に接着して、その表面に沿ってハウジング１４２を支持することができる。ハウジング１４２を、それが接着されたそのような支持表面から取外すことが望ましいとき、ある長さの取付けストリップ材料１５０の第２の部分１５６、およびそれが接着されたハウジングの手で取外し可能な部分１４９を、第１の壁１５５の残りまたは大きい部分から離れるように手で引張り、第１の壁１５５を弱いライン１５９に沿って壊すことができる。第１の壁１５５が１つの貼合せ板紙層である場合、それは剥離することができる。第１の壁１５５が２つの貼合せ板紙層から形成されている場合、手で取外し可能な部分は、貼合せ板紙層の一方のみの一部であることができる。第２の部分１５６および取外し可能な部分１４９をそのように離れるように引張ることにより、ある長さの取付けストリップ材料１５０の第２の部分１５６、およびそれに接着されたハウジング１４２の取外し可能な部分１４９を、ある長さの取付けストリップ材料１５０の第１の部分１５４から離れるように手で引張って（図１８を参照のこと）、支持表面およびハウジング１４２の取付け可能な部分１４８から第１の部分１５４の接着を伸張し、それにより剥離する。
【００２８】
ある長さの取付けストリップ材料１５０の第２の部分１５６は、その外面に沿って接着された材料層（たとえば、ポリマー材料または紙）を有することができ、ハウジング１４２の外面１４３と接触する人による、ある長さの取付けストリップ材料１５０の第２の部分１５６との接触を防止することができる。その材料層に、任意に、パッケージアセンブリを支持表面に取付ける、および／またはパッケージアセンブリを支持表面から取外すための指示を印刷することができる。
【００２９】
第１の壁１５５が、いくつかのタイプの貼合せ板紙から製造されている場合、ある長さの取付けストリップ材料１５０の第２の部分１５６を第１の壁１５５から持上げて離すときに、外層が、ある長さの取付けストリップ材料１５０の第２の部分１５６の周りで剥離し、裂けるので、パーフォレーション１５９は、必要でないであろう。
【００３０】
図１９は、本発明による複数のパッケージアセンブリ２００を形成するための本発明による方法を概略的に示し、各パッケージアセンブリ２００は、図６および図７を参照して上述されたパッケージアセンブリ６０と同様である。その方法は、次の工程を含む。伸張剥離接着剤によって全体的に画定された対向する主面を有する取付けストリップ材料の細長い供給２０１を提供する。取付けストリップ材料の細長い供給は、示されているように、ロール２０３で提供することができ、１つの主面に沿って延在する、ある長さの剥離ライナ２０４を有する。従来のハウジングまたはボックス形成機械（図示せず）を使用して、壁（たとえば、チップボードまたはボール紙を、複数のハウジング２０２に形成する。弱いライン２１７（たとえば、切込み線またはパーフォレーションの列）を各ハウジング２０２に形成して、取付け可能な部分２０８（ハウジング２０２の小さい部分およびハウジング２０２の１つの壁２０５の小さい部分である）およびハウジング２０２の大きい手で取外し可能な部分２０９を画定する。ハウジングを、端と端をつけて配置し、適切な搬送装置２０６によって、経路に沿って移動させる。取付けストリップ材料の細長い供給２０１の所定の長さ２１０を、移動するハウジング２０２の各々に適用し、ローラ２０７によって、そのハウジング２０２に押しつける。所定の長さ２１０の第１の大きい部分２１４を、ハウジング２０２の取付け可能な部分２０８の外面に沿って接着し、所定の長さ２１０の第２の小さい部分２１６は、ハウジング２０２の手で取外し可能な部分２０９に沿って延在し、接着する。ハウジング２０２は、直立したタブ２１８が片側に沿ってのみ取付けられて最初に形成されており、所定の長さ２１０の第２の小さい部分２１６を、タブ２１８のそばで各ハウジング２０２の内層に接着する。次に、ハウジング２０２は、機構２１９を通過し、それは、ハウジング２０２間で取付けストリップ材料の細長い供給２０１および剥離ライナ２０４を切断して、ハウジング２０２間で所定の長さ２１０を分離し、各所定の長さ２１０上の剥離ライナ２０４の前端を持上げ、タブ２１８を、所定の長さ２１０の第２の小さい部分２１６のそのとき露出した表面に押しつけ、次に、各所定の長さ上の剥離ライナ２０４の前端が、タブ２１８の外面に沿ったある位置に戻ることができ、そこで、それをつかみ、剥離ライナ２０４を手で取外すことができる。その後、タブ２１８は、所定の長さの取付けストリップ材料２１０の第２の小さい部分２１６と、所定の長さの取付けストリップ材料２１０の第１の大きい部分２１４と整列した表面との間の接着を制限する手段を提供する。
【００３１】
剥離ライナ２０４を取外した後、各ハウジング２０２上の所定の長さの取付けストリップ材料２１０の第１の大きい部分２１４を表面（たとえば、典型的には垂直表面）に接着して、その表面に沿ってハウジング２０２を支持することができる。その後、ハウジング２０２をその表面から取外すことが望ましいとき、ハウジング２０２の取外し可能な部分２０９を、弱いライン２１７に沿って、ハウジング２０２の小さい取付け可能な部分２０８から手で分離することができ、所定の長さの取付けストリップ材料２１０の第２の小さい部分２１６を手で係合して、所定の長さの取付けストリップ材料２１０の第１の部分２１４を伸張し、それにより、表面とハウジング２０２の取付け可能な部分２０８との間から、所定の長さの取付けストリップ材料２１０の第１の部分２１４を取外すことができる。
【００３２】
本発明を、ここで、いくつかの実施形態およびそれらの修正例を参照して説明した。本発明の範囲から逸脱することなく、多くの変更を説明された実施形態に行うことができること、および多くの異なったタイプの構造またはハウジングに、１以上の上述された取付けストリップを有利に設けることができることが、当業者には明らかであろう。たとえば、ポップアップ・ポストイット（Ｐｏｐ−ｕｐ  Ｐｏｓｔ−ｉｔ）（商標）ノートを充填したボックスまたはハウジングに、図１および図２を参照して説明されたのと同様に取付けストリップを設けることができる。ボール紙または同様の材料の裏材で作られた額縁に、図６および図７を参照して説明されたのと同様に取付けストリップを設けることができる。カレンダー、標示、または店頭展示品に、図８および図９を参照して説明されたのと同様に取付けストリップを設けることができる。したがって、本発明の範囲は、本出願で説明された構造に限定されるべきではないが、特許請求の範囲の文言によって説明された構造およびそれらの均等物によってのみ限定されるべきである。
【図面の簡単な説明】
【００３３】
【図１】本発明によるパッケージアセンブリの第１の実施形態の斜視図である。
【図２】図１の線２−２にほぼ沿った拡大部分断面図である。
【図３】本発明によるパッケージアセンブリの第２の実施形態の斜視図である。
【図４】図３の線４−４にほぼ沿った拡大部分断面図である。
【図５】図３および図４に示されたパッケージアセンブリの修正例を示す、図４と同様の部分断面図である。
【図６】本発明によるパッケージアセンブリの第３の実施形態の斜視図である。
【図７】図６の線７−７にほぼ沿った拡大部分断面図である。
【図８】パッケージアセンブリが取付けられている表面から、パッケージアセンブリを取外すのに用いられる工程を示す、図６のパッケージアセンブリの斜視図である。
【図９】本発明によるパッケージアセンブリの第４の実施形態の斜視図である。
【図１０】図９の線１０−１０にほぼ沿った拡大部分断面図である。
【図１１】本発明によるパッケージアセンブリの第５の実施形態の斜視図である。
【図１２】図１１のパッケージアセンブリの取外し可能な部分を取外した後の、そのパッケージアセンブリの取付け可能な部分の斜視図であり、パッケージアセンブリが取付けられている表面から、取付け可能な部分を取外すのを示す。
【図１３】本発明によるパッケージアセンブリの第６の実施形態の斜視図である。
【図１４】パッケージアセンブリが取付けられている表面から、パッケージアセンブリを取外す際の順次工程を示す、図１３のパッケージアセンブリの縮小斜視図である。
【図１５】パッケージアセンブリが取付けられている表面から、パッケージアセンブリを取外す際の順次工程を示す、図１３のパッケージアセンブリの縮小斜視図である。
【図１６】本発明によるパッケージアセンブリの第７の実施形態の斜視図である。
【図１７】図１６のパッケージアセンブリの背面図である。
【図１８】パッケージアセンブリが取付けられている表面から、パッケージアセンブリを取外すのを示す、図１６のパッケージアセンブリの斜視図である。
【図１９】図６、図７、および図８に示されたものと同様の本発明によるパッケージアセンブリの一実施形態を製造するための本発明による方法を概略的に示す斜視図である。
【図１】
2005518313.tif 000003
【図２】
2005518313.tif 000004
【図３】
2005518313.tif 000005
【図４】
2005518313.tif 000006
【図５】
2005518313.tif 000007
【図６】
2005518313.tif 000008
【図７】
2005518313.tif 000009
【図８】
2005518313.tif 000010
【図９】
2005518313.tif 000011
【図１０】
2005518313.tif 000012
【図１１】
2005518313.tif 000013
【図１２】
2005518313.tif 000014
【図１３】
2005518313.tif 000015
【図１４】
2005518313.tif 000016
【図１５】
2005518313.tif 000017
【図１６】
2005518313.tif 000018
【図１７】
2005518313.tif 000019
【図１８】
2005518313.tif 000020
【図１９】
2005518313.tif 000021
【国際調査報告】
2005518313.tif 000022
2005518313.tif 000023
2005518313.tif 000024